(57)【要約】【課題】容器本体の高さ寸法の増加を抑制しつつ、キャップの締結完了を確認できる音を発生させることができるキャップ付き容器を提供する。【解決手段】キャップ20の周壁部21の内周面には、内周側へ突出し、少なくとも一部が雌ねじ25の山部26の旋回軌道上端Tよりも下方に位置する音出しリブ28を形成し、容器本体30の口部33の外周面には、外周側へ突出し、キャップ20の締結完了時に音出しリブ28を乗越えさせて、音を発生させる係合突起37を形成する。【選択図】図１
2015030484.tif 000002
【特許請求の範囲】
【請求項１】
内周面に雌ねじが形成された周壁部と該周壁部の上端を閉塞する頂壁部とを有するキャップと、該キャップの雌ねじが締結される雄ねじが外周面に形成された口部を有する容器本体とを備えるキャップ付き容器において、
前記キャップの周壁部の内周面には、内周側へ突出し、少なくとも一部が前記雌ねじの山部の旋回軌道上端よりも下方に位置する音出しリブが形成され、
前記容器本体の口部の外周面には、外周側へ突出し、前記キャップの締結完了時に前記音出しリブを乗越えさせて、音を発生させる係合突起が形成されていることを特徴とするキャップ付き容器。
【請求項２】
前記音出しリブは、上端が前記頂壁部の裏面に連設されており、
前記キャップの雌ねじは、少なくとも前記音出しリブの下方部分が切り欠かれている、請求項１に記載のキャップ付き容器。
【発明の詳細な説明】
【技術分野】
【０００１】
本発明は、内周面に雌ねじが形成された周壁部を有するキャップと、該キャップの雌ねじが締結される雄ねじが外周面に形成された口部を有する容器本体とを備えるキャップ付き容器に関し、特に、容器本体の高さ寸法の増加を抑制しつつ、キャップの締結完了を確認できる音を発生させようとするものである。
【背景技術】
【０００２】
従来、キャップの締結完了を確認できる音を発生させるようにしたキャップ付き容器として、例えば特許文献１に記載されるようなものが知られている。特許文献１では、容器本体の口部外周面に弾性片を設け、キャップの締結完了時に、弾性片が、キャップの周壁部の内周面に設けられた突起を乗越えて、音を発生させるようにしている。
【先行技術文献】
【特許文献】
【０００３】
【特許文献１】特開平１０−２５８８５４号公報
【発明の概要】
【発明が解決しようとする課題】
【０００４】
しかしながら、特許文献１記載のものでは、容器本体の口部外周面において、雄ねじ形成領域の上側に、弾性片を設置するスペースを設ける必要があり、その分だけ容器本体の高さ寸法を増加させる必要があった。
【０００５】
本発明は、このような従来の課題を解決するために開発されたもので、容器本体の高さ寸法の増加を抑制しつつ、キャップの締結完了を確認できる音を発生させることができるキャップ付き容器を提供することを目的とする。
【課題を解決するための手段】
【０００６】
すなわち、本発明の要旨構成は以下のとおりである。
１．内周面に雌ねじが形成された周壁部と該周壁部の上端を閉塞する頂壁部とを有するキャップと、該キャップの雌ねじが締結される雄ねじが外周面に形成された口部を有する容器本体とを備えるキャップ付き容器において、
前記キャップの周壁部の内周面には、内周側へ突出し、少なくとも一部が前記雌ねじの山部の旋回軌道上端よりも下方に位置する音出しリブが形成され、
前記容器本体の口部の外周面には、外周側へ突出し、前記キャップの締結完了時に前記音出しリブを乗越えさせて、音を発生させる係合突起が形成されていることを特徴とするキャップ付き容器。
【０００７】
２．前記音出しリブは、上端が前記頂壁部の裏面に連設されており、
前記キャップの雌ねじは、少なくとも前記音出しリブの下方部分が切り欠かれている、前記１のキャップ付き容器。
【発明の効果】
【０００８】
本発明によれば、キャップの締結完了時に、キャップの周壁部の内周面に形成され内周側へ突出する音出しリブが、容器本体の口部の外周面に形成された係合突起を乗越えて、音を発生させることができる。また、音出しリブは、少なくとも一部が雌ねじの山部の旋回軌道上端よりも下方に位置するため、その分だけ音出しリブの、雌ねじの旋回軌道上端よりも上方への突出量を抑制することができる。
【０００９】
したがって、本発明によれば、容器本体の高さ寸法の増加を抑制しつつ、キャップの締結完了を確認できる音を発生させることができるキャップ付き容器を提供することができる。
【図面の簡単な説明】
【００１０】
【図１】本発明の一実施形態に係るキャップ付き容器の一部断面側面図である。
【図２】図１の要部拡大図である。
【図３】図１のＡ−Ａ断面図である。
【図４】図１の容器本体をキャップの回転軸線の周りに９０°回転させて示す図であり、（ａ）は平面図、（ｂ）は一部断面側面図である。
【図５】図１のキャップを示す図であり、（ａ）は底面図、（ｂ）は（ａ）のＢ−Ｂ断面図である。
【図６】図１のキャップ付き容器の変形例を図２に準じて示す要部拡大図である。
【図７】図６のキャップを示す図であり、（ａ）は底面図、（ｂ）は（ａ）のＣ−Ｃ断面図である。
【発明を実施するための形態】
【００１１】
以下、図面を参照して、本発明の一実施形態に係るキャップ付き容器について詳細に例示説明する。
なお、本明細書において上方及び下方とはそれぞれ、容器本体を起立させ、キャップを取り付けた状態での上方及び下方を意味するものとする。
図１〜図３に示すように、本実施形態に係るキャップ付き容器１は、キャップ２０と、容器本体３０とからなる。
【００１２】
キャップ２０は、キャップ２０の回転軸線Ｏの周りに周設された周壁部２１と、周壁部２１の上端を閉塞する頂壁部２２とを有する。頂壁部２２の裏面には、円盤状のパッキン２３が配置されている。周壁部２１の内周面の上端縁付近には、パッキン２３の外周縁を保持するための環状突起２４が周設されている。環状突起２４より下方の周壁部２１の内周面には、雌ねじ２５が形成されている。
【００１３】
容器本体３０は、円筒状の胴部３１から縮径するとともに容器本体３０の内部空間に繋がる開口３２を形成する口部３３を有する。口部３３の外周面には、キャップ２０の雌ねじ２５が締結される雄ねじ３４が形成されている。
【００１４】
なお、本例では、キャップ２０及び容器本体３０はいずれも、合成樹脂材料の射出成形によって形成することが好ましいが、必ずしもそのような素材及び製造方法に限定されるものではない。
【００１５】
図４（ａ）及び図４（ｂ）に示すように、雄ねじ３４は、山部３５が断面台形状をなす一条ねじとして形成されている。雄ねじ３４の山部３５は、本例では、図５を用いて後述する雌ねじ２５の場合とは異なり、雄ねじ３４の旋回軌道に沿って連続して設けられている。雄ねじ３４の谷底部３６は、口部３３の外周面と同一の径寸法になっている。谷底部３６の上下方向の幅Ｖ１は、山部３５における山頂部３５ａの上下方向の幅Ｍ１よりも広くなっている。
【００１６】
キャップ２０の雌ねじ２５は、図５（ａ）〜図５（ｂ）に示すように、前述した雄ねじ３４の場合と同様に、山部２６が断面台形状をなす一条ねじとして形成されている。しかしながら、本例では、雌ねじ２５の山部２６は、雄ねじ３４の場合とは異なり、雌ねじ２５の旋回軌道に沿って断続的に設けられている。すなわち、雌ねじ２５の山部２６は、雌ねじ２５の回転軸線Ｏの周りに対称な４箇所において間隔Ｘを空けるように断続して設けられている。
【００１７】
雌ねじ２５の谷底部２７は、周壁部２１の内周面と同一の径寸法になっている。谷底部２７の上下方向の幅Ｖ２は、山部２６における山頂部２６ａの上下方向の幅Ｍ２よりも広くなっている。また、雌ねじ２５の山頂部２６ａの上下方向の幅Ｍ２は、図４（ｂ）に示した雄ねじ３４の山頂部３５ａの上下方向の幅Ｍ１よりも小さく、雌ねじ２５の谷底部２７の上下方向の幅Ｖ２は、雄ねじ３４の谷底部３６の上下方向の幅Ｖ１よりも大きくなっている。
【００１８】
キャップ２０の周壁部２１の内周面には、内周側へ突出し、少なくとも一部が雌ねじ２５の山部２６の旋回軌道上端Ｔよりも下方に位置する音出しリブ２８が形成されている。音出しリブ２８の下端２８ａはできるだけ下方に配置することが、音出しリブ２８の、雌ねじ２５の山部２６の旋回軌道上端Ｔよりも上方への突出量を低減し、容器本体３０の高さ寸法の増加を抑制する観点から好ましい。ただし、音出しリブ２８の下端２８ａを下方に配置しすぎると、音出しリブ２８の下部領域が雄ねじ３４の山部３５と干渉し、キャップ２０を口部３３に取り付けられなくなってしまうため、そのような干渉を生じない程度にできるだけ下方に配置することが好ましい。
【００１９】
音出しリブ２８の上端は、頂壁部２２の裏面に連設されている。また、音出しリブ２８の下方には、雌ねじ２５の前述した間隔Ｘの途切れた部分が位置している。すなわち、雌ねじ２５は、音出しリブ２８の下方部分が切り欠かれた状態になっている。したがって、キャップ２０を射出成形するに際しては、キャップ２０の内側を形成したコアを、キャップ２０から下方へ無理抜きすることができるので、比較的簡易な構造の成形用金型を用いることが可能となる。
【００２０】
音出しリブ２８の径方向の幅Ｗａは、雌ねじ２５の山部２６の径方向の幅Ｗｂよりも大きくすることが好ましく、このようにすることで、より明瞭な確認音を得ることができる。
なお、音出しリブ２８の上方からみた断面形状は、図３に示したような矩形状に限定されず、適宜変更が可能である。また、音出しリブ２８の周方向から見た断面形状は、図２に示したような略台形状に必ずしも限定されず、例えば略矩形状（すなわち、音出しリブ２８の下縁部が水平に延びるように変更した形状）とすることも可能である。
【００２１】
図２〜図４に示したように、容器本体３０の口部３３の外周面には、キャップ２０の締結完了時に、図３に示したように音出しリブ２８を乗越えさせる位置に、外周側へ突出する係合突起３７が形成されている。係合突起３７は、本例では、上下方向に延びる突条として形成されている。係合突起３７の上方からみた断面形状は、図３に示したように、角を丸めた矩形状としてもよいが、例えば略半円形状としてもよく、適宜変更が可能である。
【００２２】
かかる構成によれば、キャップ２０の締結完了時に、キャップ２０の周壁部２１の内周面に形成され内周側へ突出する音出しリブ２８が、容器本体３０の口部３３の外周面に形成された係合突起３７を乗越えて、元の形状に復元する際に、パチッという音を発生させることができ、それにより、キャップ２０の締結が完了したことを確認することができる。
【００２３】
また、音出しリブ２８は、少なくとも一部が雌ねじ２５の山部２６の旋回軌道上端Ｔよりも下方に位置するため、その分だけ音出しリブ２８の、雌ねじ２５の山部２６の旋回軌道上端Ｔよりも上方への突出量を抑制することができ、それにより、容器本体３０の高さ寸法の増加を抑制することができる。
【００２４】
次に、本発明の一実施形態に係るキャップ付き容器の変形例について説明する。本例のキャップ付き容器は、音出しリブ及び係合突起の配置、並びに音出しリブの形状が異なる他は、図１〜図５を用いて前述した例の場合と同一の構成になっている。
【００２５】
図６、図７（ａ）及び図７（ｂ）に示すように、本例では、音出しリブ２８’は、雌ねじ２５の山部２６の上方に配置されている。また、音出しリブ２８’の径方向の幅Ｗａは、雌ねじ２５の山部２６の径方向の幅Ｗｂよりも大きい。さらに、音出しリブ２８の上端は、環状突起２４上に位置し、アンダーカットＵを形成している。したがって、このような音出しリブ２８’を有するキャップ２０を射出成形するに際しては、キャップ２０の内側を形成するコアと音出しリブ２８’との引っ掛かりを回避するため、コラプシブルコアとも称される径方向に縮径させて抜くコアを使用することが好ましい。
【００２６】
なお、本例の場合も、音出しリブ２８’の下端２８ａは、雌ねじ２５の山部２６の旋回軌道上端Ｔよりも下方に配置するものとし、キャップ２０を口部３３に取り付ける際に音出しリブ２８’の下部領域が雄ねじ３４の山部３５と干渉しない程度に、できるだけ下方に配置することが好ましい。
【００２７】
係合突起３７’の位置は、キャップ２０の締結完了時に音出しリブ２８’を乗越えさせる位置に調整されている。
したがって、本例の場合も、図１〜図５を用いて前述した例の場合と同様に、容器本体３０の高さ寸法の増加を抑制しつつ、キャップ２０の締結完了を確認できる音を、音出しリブ２８’及び係合突起３７’によって発生させることができる。
なお、本例の場合も、図１〜図５を用いて前述した例の場合と同様に、音出しリブ２８’の上方からみた断面形状は、矩形状に限定されず、適宜変更が可能である。また、音出しリブ２８’の周方向から見た断面形状は、図６に示したような略台形状に必ずしも限定されず、例えば略矩形状（すなわち、音出しリブ２８’の上縁部及び下縁部の双方が水平に延びるように変更した形状）とすることも可能である。
【００２８】
上述したところは、本発明の一実施形態を示したにすぎず、特許請求の範囲において、種々の変更を加えることができる。例えば、容器本体３０の係合突起３７，３７’は、上下方向に延びる突条として形成されるものとして説明したが、必ずしもそのような形状に限定されず、例えば半球形状など、キャップ２０の締結完了時に音出しリブ２８，２８’を乗越えさせて音を発生させることができる限り、適宜の形状を採用することができる。
【符号の説明】
【００２９】
１  キャップ付き容器
２０  キャップ
２１  周壁部
２２  頂壁部
２３  パッキン
２４  環状突起
２５  雌ねじ
２６  雌ねじの山部
２６ａ  雌ねじの山部の山頂部
２７  雌ねじの谷底部
２８，２８’  音出しリブ
２８ａ  音出しリブの下端
３０  容器本体
３１  胴部
３２  開口
３３  口部
３４  雄ねじ
３５  雄ねじの山部
３５ａ  雄ねじの山部の山頂部
３６  谷底部
３７，３７’  係合突起
Ｏ  回転軸線
Ｖ１  雄ねじの谷底部の上下方向の幅
Ｍ１  雄ねじの山部における山頂部の上下方向の幅
Ｘ  間隔
Ｖ２  雌ねじの谷底部の上下方向の幅
Ｍ２  雌ねじの山部における山頂部の上下方向の幅
Ｔ  雌ねじの山部の旋回軌道上端
Ｗａ  音出しリブの径方向の幅
Ｗｂ  雌ねじの山部の径方向の幅
Ｕ  アンダーカット
【図１】
2015030484.tif 000003
【図２】
2015030484.tif 000004
【図３】
2015030484.tif 000005
【図４】
2015030484.tif 000006
【図５】
2015030484.tif 000007
【図６】
2015030484.tif 000008
【図７】
2015030484.tif 000009